(57)【特許請求の範囲】
【請求項１】
画像データをＭＨ、ＭＲ又はＭＭＲ方式のうち少なくとも１つの方式で送信することができるファクシミリ装置において、
前記画像データをＪＢＩＧ方式で圧縮する第１の符号化部と、前記第１の符号化部で圧縮されたデータを蓄積する蓄積部と、前記蓄積部に蓄積されているデータをＪＢＩＧ方式で復号する復号化部と、前記復号化部で復号されたデータをＭＨ、ＭＲ又はＭＭＲ方式のいずれかの方式で符号化する第２の符号化部とを備え、当該ファクシミリ装置の内部又は外部のいずれかに設けられている判断部によって、前記復号化部で復号化されたデータを送信するか、前記第２の符号化部で符号化されたデータを送信するかの判断を前記第１の符号化部で圧縮されたデータの圧縮効率に基づいて行うことを特徴とするファクシミリ装置。
【請求項２】
更に原稿画像を読み取る読み取り部を備え、ハンディタイプとしていることを特徴とする請求項１に記載のファクシミリ装置。
【請求項３】
前記第１の符号化部及び前記蓄積部はコードレスのパーソナルハンディスキャナとしてファクシミリ装置本体と切り離して画像を読み取ることができることを特徴とする請求項１に記載のファクシミリ装置。
【請求項４】
画像データを送信する際に前記画像データをそのまま送信するか、ＭＨ、ＭＲ又はＭＭＲ方式のうちいずれか１つの方式で符号化してから送信するかの選択をするファクシミリ送信制御方法において、前記画像データをＪＢＩＧ方式で圧縮し、そのＪＢＩＧ方式で圧縮されたデータの圧縮効率に基づいて前記選択をすることを特徴とするファクシミリ送信制御方法。
【発明の詳細な説明】
【０００１】
【発明の属する技術分野】
本発明は、画像データをＭＨ方式等で符号化してから送信することのできるファクシミリ装置に関する。また、本発明は、画像データをそのまま送信するか、ＭＨ方式等で符号化してから送信するかの選択をするファクシミリ送信制御方法に関する。
【０００２】
【従来の技術】
ファクシミリ装置で用いられるデータの圧縮法には、ＭＨ（Ｍｏｄｉｆｉｅｄ  Ｈｕｆｆｍａｎ）、ＭＲ（Ｍｏｄｉｆｉｅｄ  ＲＥＡＤ）及びＭＭＲ（Ｍｏｄｉｆｉｅｄ  ＭＲ）の符号化方式がある。これらの圧縮法ではデータの種類によっては必ずしも圧縮がかからず逆に原データ（圧縮前の画像データ）よりもデータサイズが大きくなってしまうことがある。
【０００３】
そこで、従来のファクシミリ装置では、画像データの読み込み時には、次のような処理を行っていた。すなわち、図６に示すように、ファクシミリ装置はスキャナ（図示せず）で読み取った画像データを一旦ＲＡＭ（Ｒａｎｄｏｍ  Ａｃｃｅｓｓ  Ｍｅｍｏｒｙ）５０に記憶する。そして、この原データをＭＨ圧縮部（符号化部）５１でＭＨ圧縮し、マルチプレクサ（ＭＰＸ）５３を介して蓄積メモリ（蓄積部）５４に格納する。
【０００４】
そして、このファクシミリ装置は、蓄積メモリ５４に格納されたデータのサイズからＭＨ圧縮によって原データよりも大きくなっていないかどうかを判定部５２で判定し、大きくなっていた場合にはＭＨ圧縮部５１によって得られたデータを廃棄し、原データをマルチプレクサ５３を介して蓄積メモリ５４に格納する。一方、大きくなっていない場合には原データを廃棄して蓄積メモリ５４にはＭＨ圧縮したデータを残しておく。
【０００５】
その後、このファクシミリ装置は蓄積メモリ５４に格納されているデータを公衆回線網を介して受信側のファクシミリ装置に送信する。送信が終了すると、ファクシミリ装置は蓄積メモリ５４の内容を消去し、蓄積メモリ５４の容量を確保する。
【０００６】
【発明が解決しようとする課題】
しかしながら、この従来のファクシミリ装置には次のような問題があった。すなわち、この従来のファクシミリ装置では、原データはＭＨ圧縮した後でも再度使用される可能性があるために、ＲＡＭ５０にしばらく保持されていなければならなかった。そのため、ＲＡＭ５０では処理待ちの状態となって、例えば画像データの読み込み処理が滞る結果となっていた。また、蓄積メモリ５４には原データが格納される場合もあるので、最低でも読み取りデータを格納することができる容量が必要であった。これは大容量の蓄積メモリ５４が必要であることを意味していた。
【０００７】
本発明は上記課題を解決するもので、データの蓄積後に処理済みの原データの内容を直ちに消去することができ、更には、処理を簡略化するとともにデータを蓄積する蓄積部の容量の縮小を図ったファクシミリ装置及びファクシミリ送信制御方法を提供することを目的とする。
【０００８】
【課題を解決するための手段】
上記目的を達成するため、本発明では、画像データをＭＨ、ＭＲ又はＭＭＲ方式のうち少なくとも１つの方式で送信することができるファクシミリ装置において、前記画像データをＪＢＩＧ方式で圧縮する第１の符号化部と、前記第１の符号化部で圧縮されたデータを蓄積する蓄積部と、前記蓄積部に蓄積されているデータをＪＢＩＧ方式で復号する復号化部と、前記復号化部で復号されたデータをＭＨ、ＭＲ又はＭＭＲ方式のいずれかの方式で符号化する第２の符号化部とを備えたものであり、当該ファクシミリ装置の内部又は外部のいずれかに設けられている判断部によって、前記復号化部で復号化されたデータを送信するか、前記第２の符号化部で符号化されたデータを送信するかの判断を前記第１の符号化部で圧縮されたデータの圧縮効率に基づいて行うようにしている。
【０００９】
このような構成によると、ファクシミリ装置はスキャナ等で読み取った画像データを第１の符号化部でＪＢＩＧ圧縮してフラッシュメモリ等の蓄積部に蓄積する。一般的にＪＢＩＧ方式は圧縮を行うと必ず原データよりサイズが小さくなるので、蓄積部の記憶容量を小さくしておくことができる。
【００１０】
そして、データの送信の際には、蓄積部に蓄積されたデータを復号化部で復号化する。そして、例えばＣＰＵによる判断部で蓄積部のデータサイズ等から求められる圧縮効率に基づいてＭＨ方式等で圧縮して送信するか、そのままＪＢＩＧ復号化されたデータを送信するかの判断をする。
【００１１】
ＪＢＩＧ方式とＭＨ方式等には相関があるので、ＪＢＩＧ方式の圧縮効率によってＭＨ方式等の圧縮効率を予測することができる。これにより、ＭＨ方式等の符号化によってある程度の圧縮効果が期待できない場合にはＭＨ符号化せず復号化部によって得られたデータを送信し、一方、圧縮効果が得られる場合に限って第２の符号化部で圧縮を行ってから送信する。
【００１２】
また、本発明では、上記構成において、更に原稿画像を読み取る読み取り部を備え、ハンディタイプとしている。このような構成によると、ファクシミリ装置は、公衆回線網と接続が切れた状態であっても、読み取り部で画像データを読み取っていき、蓄積部に蓄積していく。そして、送信の際には公衆回線網に接続をすることによってデータを送信する。
【００１３】
また、本発明では、上記構成において、前記第１の符号化部及び前記蓄積部はコードレスのパーソナルハンディスキャナとしてファクシミリ装置本体と切り離して画像を読み取ることができるようにしている。
【００１４】
このような構成では、ファクシミリ装置は本体部とハンディスキャナとから成る。ハンディスキャナでは、本体部と切り離された状態で画像データを読み取ることが可能で、フラッシュメモリ等の蓄積部にそのデータを蓄積していく。そして、本体と接続することにより本体側でＭＨ方式等の符号化を行うかどうかの判断をして送信を行う。
【００１５】
また、本発明では、画像データを送信する際に前記画像データをそのまま送信するか、ＭＨ、ＭＲ又はＭＭＲ方式のうちいずれか１つの方式で符号化してから送信するかの選択をするファクシミリ送信制御方法において、前記画像データをＪＢＩＧ方式で圧縮し、そのＪＢＩＧ方式で圧縮されたデータの圧縮効率に基づいて前記選択を行っている。
【００１６】
このような構成では、送信しようとする画像データをＭＨ方式等で符号化する前にＪＢＩＧ方式で圧縮し、その圧縮効率によってＭＨ方式等の符号化を行うかどうかの選択をしているので利用されないＭＨ圧縮作業を行わなくてもよくなる。
【００１７】
【発明の実施の形態】
＜第１の実施形態＞
以下、本発明の第１の実施形態について説明する。図１は本実施形態を概略的に図示したものである。本実施形態のファクシミリ装置は読み取った画像データをメモリ１に記憶し、まずＪＢＩＧ圧縮部（符号化部）２によって圧縮し、フラッシュメモリ等の蓄積メモリ３に蓄積する。
【００１８】
そして、送信の際には、蓄積メモリ３に蓄積されているデータをＪＢＩＧ復号化部４で復号化して原データを得る。更に、判断部５で蓄積メモリ３に蓄積されているデータの圧縮効率に基づいてＭＨ符号化するか否かの判断をする。本実施形態では、画像データ（原データ）は一律となるように決めているので、蓄積メモリ３でのデータサイズによって直ちに圧縮効率を知ることができる。
【００１９】
ＭＨによる圧縮とＪＢＩＧによる圧縮の効率には相関がある。これは、ＭＨ圧縮に使用するランレングス符号化の特徴によりあるところから急激に圧縮の低下が見られる。それと、データの種類に比較的依存性が低いＪＢＩＧ方式の圧縮の関係は図７のようになる。この相関により２つの圧縮方式でどの程度の圧縮率になるかは互いに予想することができる。
【００２０】
本実施形態では、例えば、蓄積メモリ３に蓄積されたデータのサイズが原データの４０％以上あるかどうかを基準にして送信時にＭＨ圧縮をするか否かの判断をする。すなわち、ＪＢＩＧ圧縮したデータのサイズが原データの４０％より小さいときには、ＭＨ圧縮後のデータは原データよりサイズが小さくなると判断できるので、ＭＨ符号化部６でＭＨ圧縮を行い、これによって得られたデータを公衆回線網を介して受信側のファクシミリ装置に送信する。一方、蓄積メモリ３でのデータサイズが原データのサイズの４０％以上のときには、ＭＨ符号化をしても実質的に圧縮の効果が得られないのでＪＢＩＧ復号化部４で得られた原データをＭＨ符号化せずそのまま送信する。
【００２１】
本実施形態では、上記従来のファクシミリ装置と同様にデータの種類に応じてＭＨ符号化するか否かの判断をする装置となっている。その一方で、ＪＢＩＧ圧縮は一般的にＭＨ方式等の圧縮法に比べて圧縮効率が高く、ＪＢＩＧ圧縮後のデータのサイズは必ず原データのサイズより小さくなるため、蓄積メモリ３には原データのサイズのおよそ６０％の記憶容量があれば実際的には十分である。したがって、上記従来のファクシミリ装置（図６）に比べて蓄積メモリ３の容量を小さくすることができる。
【００２２】
また、蓄積メモリ３でのデータサイズに基づいてＭＨ符号化をするか否かの判断をしているので、原データをＪＢＩＧ圧縮部２で圧縮して蓄積メモリ３に蓄積してしまえば、この原データは不要となる。したがって、メモリ１から原データの内容を消去し、引き続きデータ読み取り処理等をすることが可能である。
【００２３】
更に具体的となるように本実施形態の構成について説明する。本実施形態はハンディタイプのファクシミリ装置である。このファクシミリ装置は小型で持ち運び可能で、公衆回線網とは接続されていない状態で原稿画像を読み取って画像データを蓄積するものである。そして、公衆回線網に直接接続することによってデータを受信側のファクシミリ装置に送信する。
【００２４】
図２はそのファクシミリ装置ののブロック図である。ファクシミリ装置はＣＰＵ（Ｃｅｎｔｒａｌ  Ｐｒｏｃｅｓｓｉｎｇ  Ｕｎｉｔ）１０によって制御される。ＣＰＵ１０は、図１におけるＪＢＩＧ圧縮部２、ＪＢＩＧ復号化部４、判断部５及びＭＨ符号化部６における処理を行う。また、ＣＰＵ１０はこれらの処理のために、一時的に必要なデータを記憶するＲＡＭ（Ｒａｎｄｏｍ  Ａｃｃｅｓｓ  Ｍｅｍｏｒｙ）１４と、プログラム等を記憶するＲＯＭ（Ｒｅａｄ  Ｏｎｌｙ  Ｍｅｍｏｒｙ）１５とを備える。
【００２５】
そして、ＣＰＵ１０には、画像を読み取る読み取り部１１と、キー操作入力及び画面表示を行う操作表示部１２と、ＪＢＩＧ圧縮したデータを蓄積するための蓄積メモリ１３と、モデム１６と、公衆回線網と接続をするためのＮＣＵ（Ｎｅｔｗｏｒｋ  Ｃｏｎｔｏｌ  Ｕｎｉｔ）１７とが接続される。読み取り部１１で読み取った画像データはまずＲＡＭ１４に記憶され、ＣＰＵ１０によってＪＢＩＧ圧縮され、蓄積メモリ１３に蓄積される。
【００２６】
図３は送信制御処理のフローチャートである。ファクシミリ装置の蓄積メモリ１３に蓄積されているデータを送信するためには、まずステップＳ５でファクシミリ装置を公衆回線網に接続する。そして、ステップＳ１０で蓄積メモリ１３に格納されているデータをＪＢＩＧ復号化して原データを得る。
【００２７】
次に、ステップＳ１５で蓄積メモリ１３に格納されているデータのサイズを参照して原データの４０％以上のデータサイズであるか否かの判断をする。ＪＢＩＧ圧縮後のデータのサイズが原データの圧縮サイズの４０％以上であるときには、ＭＨ符号化しても上述のように実質的な効果が得られないので、ＭＨ符号化を行わないでステップＳ２５で原データを送信する。
【００２８】
一方、ステップＳ１５で４０％以上でないときには、ステップＳ２０でＭＨ符号化を行い、データのサイズを原データよりも小さくしてからステップＳ２５で送信を行う。このように送信の際には、ＪＢＩＧ圧縮されたデータの圧縮効率に基づいてＭＨ符号化するか否かの判断をする。
【００２９】
また、上記送信制御処理を以下のように変え、受信側のファクシミリ装置で符号化方式を決定するような特殊な送信制御とすることも可能である。図４はこの場合の処理を示すフローチャートである。ここでは、ファクシミリ装置に用いられる符号化の方式にはＭＨ方式の他にＭＲ、ＭＭＲ方式があることも考慮されている。ＭＲ及びＭＭＲ方式は圧縮効率に関してはＭＨ方式と同様にＪＢＩＧ方式と相関が認められ、ＪＢＩＧ圧縮後のデータサイズからＭＲ、ＭＭＲ各方式による圧縮の効率を判断することができる。
【００３０】
まずステップＳ４０で、ハンディタイプのファクシミリ装置を公衆回線網に接続し、ファクシミリ装置に格納されているデータを送信可能とする。次に、ステップＳ４５でデータをＪＢＩＧ復号化する。次に、ステップＳ５０では、蓄積メモリ１３に蓄積されたデータのサイズ情報を受信側に送って受信側に符号化方式を問合せる。
【００３１】
そして、ステップＳ５５で、このサイズ情報に基づいて受信側でＭＨ、ＭＲ又はＭＭＲ方式のうちいずれかの方式で送信するのか、全く符号化を行わないで送信するかの判断をする。この判断は、図３に示す処理と同じ基準で行えばよい。ＭＨ、ＭＲ、ＭＭＲ方式については一般にＭＨ、ＭＲ、ＭＭＲ方式の順に圧縮率が向上するので、受信側で受けることのできる最も効率の良い方式となるように決定する。
【００３２】
その後、受信側から送信側に決定された内容が返され、送信側ではステップＳ６０でＭＨ等で圧縮を行うかどうかの判断をする。圧縮を行わないで送信するときには、ステップＳ７０に進み、原データを送信する。ＭＨ、ＭＲ又はＭＭＲ方式のいずれかの方式で送信するときには、ステップＳ６５に進み、受信側で決定された方式に従って符号化し、ステップＳ７０で送信を行う。
【００３３】
このように、データの送信の際にデータのサイズに基づいてＭＨ方式等の符号化を行うか否かの判断をするのは、受信側で行うことも可能である。これにより、受信側にとって最も効率の良い方式で送信することが可能となるので、送信時間を短縮する効果がある。更に、受信側のファクシミリ装置がＪＢＩＧ方式のデータ処理に対応したものであれば、送信側からＪＢＩＧ圧縮されたデータを直接送信するようにしてもよい。
【００３４】
とはいうものの、このようなデータ送信を行うためには送信側と受信側の両者で通信手順をあらかじめ特別に設定しておかなければならず、一般的に使用し得る形態とはいえない面がある。これに対して、上述の図３に示す処理を用いた場合には、ＪＢＩＧ圧縮やＪＢＩＧ復号化といった処理が受信側のファクシミリ装置に影響を及ぼすことがないので、より一般的で広く使用できる形態といえる。
【００３５】
以上説明したように、本実施形態のファクシミリ装置によって蓄積メモリ１３に蓄積されるデータはＪＢＩＧ圧縮されたものとなるので、蓄積メモリ１３の容量を小さくすることができ、更には蓄積することのできるデータ量を実質的に増大させることも可能となる。また、図１に示すように、読み取りデータが一旦ＪＢＩＧ圧縮されると、原データはもはや不要となるので、後続の処理に影響を受けることなく処理を一元化することができる。したがって、処理が簡易となり、処理速度の向上を図ることができる。尚、ＪＢＩＧ方式以外の可逆圧縮であっても符号化後のデータサイズが原データサイズより大きくならない圧縮方式であれば、ＪＢＩＧ圧縮部２（図１参照）の代わりに使用することができる。
【００３６】
＜第２の実施形態＞
次に、本発明の第２の実施形態について説明する。本実施形態のファクシミリ装置は上記第１の実施形態と同じくハンディタイプであるが、図２においてモデム及びＮＣＵ１７を除いた１８に示す部分から成る。モデム１６及びＮＣＵ１７については、別途、公衆回線網にあらかじめ接続されている通信制御装置に設けられており、ファクシミリ装置からデータを送信するには、ファクシミリ装置をこの通信制御装置に接続し、この通信制御装置を介して行う。また、この通信制御装置には、受信したデータを印刷するプリント部（図示せず）も設けられていて、受信時の処理と画像データの読み込みを別々の装置で行うことができるようになっている。
【００３７】
ファクシミリ装置は小型で持ち運び可能で、公衆回線とは接続されていない状態で原稿画像を読み取って画像データをＪＢＩＧ圧縮して蓄積メモリ１３に蓄積する。データを送信するには、このファクシミリ装置を前記通信制御装置に接続し、ファクシミリ装置のＣＰＵ１０によってＪＢＩＧ符号化、ＭＨ符号化等を行うかどうかの判断、そして、場合によってはＭＨ符号化等の処理を行ってデータの送信をする。詳しくは、図３又は図４に示す処理と公衆回線網に接続する仕方が異なるのみで、その他の点については同様であるので説明を省略する。
【００３８】
＜第３の実施形態＞
本発明の第３の実施形態について説明する。本実施形態のファクシミリ装置は、ファクシミリ装置本体と、コードレスのパーソナルハンディスキャナとから成る。このパーソナルハンディスキャナは画像を読み取る読み取り部と、このデータをＪＢＩＧ圧縮する符号化部と、ＪＢＩＧ圧縮されたデータを蓄積する蓄積部とから成る。
【００３９】
このハンディスキャナは本体とは切り離された状態で画像を読み取ることができ、ブロック構成としては図２において１８に示す範囲の部分で上記第２の実施形態のファクシミリ装置と一致する。しかし、ＣＰＵ１０では、読み取ったデータをＪＢＩＧ圧縮して蓄積メモリ１３に格納する処理は行われるが、圧縮後のデータをＪＢＩＧ復号化したり、ＭＨ符号化等を行うか否かの判断をしたり、ＭＨ符号化等をする処理は行われないところが異なっている。
【００４０】
一方のファクシミリ装置本体は、モデムやＮＣＵに用いて公衆回線網に接続された状態で設置され、更にハンディスキャナからデータを読み込む入力端子と、公衆回線網を介して受信したデータを印刷するプリント部とを有する。本体にハンディスキャナが接続されると、本体では入力端子からハンディスキャナの蓄積メモリ１３に蓄積されているデータを読み込み、内蔵の記憶装置に記憶する。そして、送信を行うときには本体側でＪＢＩＧ復号化やＭＨ復号化を行うか否かの判断を行って必要であればＭＨ符号化等をして送信を行う。
【００４１】
データを送信時の処理は上述の第２の実施形態の場合とよく似ているが、本実施形態では、本体側でＪＢＩＧ復号化等をしているので、ハンディスキャナからデータを一旦読み込んでおけば、その後、ハンディスキャナと本体との接続状態にかかわりなくデータを送信することができるという利点がある。つまり、本体側でデータの送信を行いながら、同時にハンディスキャナでは画像データの読み込みを行うことができるのである。
【００４２】
＜第４の実施形態＞
次に、本発明の第４の実施形態について説明する。図５は本実施形態のファクシミリ装置のブロック図である。本実施形態のファクシミリ装置は公衆回線網に接続されて据え置かれるタイプのもので、画像を読み取る読み取り部２１も一体に備えたものである。
【００４３】
ＣＰＵ２０はファクシミリ装置の全体を制御し、ＪＢＩＧ圧縮や復号化、ＭＨ方式による符号化等を行う。そして、ＣＰＵ２０は、一時的に必要なデータを記憶するＲＡＭ２５と、処理プログラム等を記憶するＲＯＭ２６とを備える。そして、ＣＰＵ２０には、画像を読み取る読み取り部２１と、受信したデータを印刷するためのプリント部２２と、キー操作入力及び画面表示を行う操作表示部２３と、ＪＢＩＧ圧縮したデータを蓄積するための蓄積メモリ２４と、モデム２７とが接続されている。モデム２７にはＮＣＵ２８が接続され、ＮＣＵ２８は公衆回線網に接続されている。
【００４４】
本実施形態のファクシミリ装置は、通常、読み取り部１１で読み取ったデータをＪＢＩＧ圧縮して蓄積メモリ３に蓄積しながら、速やかにＭＨ符号化するか否かの判断を行ってデータの送信をするものとして使用される。このとき、ＣＰＵ２０は蓄積メモリ２４に蓄積されているデータのサイズに基づいてＪＢＩＧ圧縮効率を求め、ＭＨ方式等の符号化を行うかどうか判断する。
【００４５】
送信制御処理については上記第１の実施形態と同様である。但し、本実施形態のファクシミリ装置は公衆回線網に接続された状態に置かれているので、公衆回線網に接続する手順は省略される。
【００４６】
本実施形態では、読み込んだデータがＪＢＩＧ圧縮されると直ちに消去可能となるので、データを保持する必要がなくなり、上記第１の実施形態と同じく処理を一元化することができる。尚、本実施形態のファクシミリ装置はファクシミリ機能をもった電話やパソコン等の情報機器にも利用することが可能である。
【００４７】
【発明の効果】
＜請求項１の効果＞
以上説明したように本発明によれば、ＪＢＩＧ圧縮後には原データを残しておく必要がないので、画像データを記憶していたＲＡＭ等の内容を消去し、次の画像読み取り処理等のために使用することができる。そのため、処理が一元化できるのでファクシミリ装置での処理が簡易となるとともに処理速度の向上が図れる。また、ＪＢＩＧ圧縮は一般にＭＨ方式等に比べて圧縮効率が高く、蓄積部の容量を小さくすることもできる。
【００４８】
＜請求項２の効果＞
ファクシミリ装置はハンディタイプとなっているので、自由に持ち運びすることができる。読み取り部で読み取った画像データを蓄積部にＪＢＩＧ圧縮して蓄積していき、データを送信する場合には、公衆回線網に接続することによってデータの送信を行うことができる。
【００４９】
＜請求項３の効果＞
ファクシミリ装置は本体及びハンディスキャナから成り、ハンディスキャナは本体と切り離された状態で画像データを読み取ることができる。そして、本体にデータを送ることにより、ハンディスキャナは本体側の処理と別個独立に使用することが可能である。
【００５０】
＜請求項４の効果＞
画像データをＪＢＩＧ圧縮し、その圧縮効率に基づいてＭＨ方式等の符号化を行うか否かの選択をするので、ＭＨ圧縮が有効かどうかについてＭＨ符号化を行う前に判断することができる。そして、圧縮が有効な場合にのみＭＨ方式等の圧縮を行ってデータを送信することができる。このような送信制御方法によると、処理が一元化されるため、処理の待ち状態のような非効率的な時間を削減でき、処理の簡易化や処理速度の向上を図ることができる。
【図面の簡単な説明】
【図１】本発明の第１の実施形態のファクシミリ装置の概略図。
【図２】そのファクシミリ装置のハンディスキャナの構成を示すブロック図。
【図３】そのファクシミリ装置の送信制御処理のフローチャート。
【図４】その送信制御処理の別例を示すフローチャート。
【図５】本発明の第４の実施形態のファクシミリ装置のブロック図。
【図６】従来のファクシミリ装置の概略図。
【図７】ＪＢＩＧ方式とＭＨ方式の圧縮率の相関を示す図。
【符号の説明】
１    読み取りデータメモリ
２    ＪＢＩＧ圧縮部（符号化部）
３    蓄積メモリ
４    ＪＢＩＧ復号化部
５    判断部
６    ＭＨ符号化部
１０    ＣＰＵ
１１    読み取り部
１２    操作表示部
１３    蓄積メモリ
１４    ＲＡＭ
１５    ＲＯＭ
【図１】
0003617592.tif 000002
【図２】
0003617592.tif 000003
【図３】
0003617592.tif 000004
【図４】
0003617592.tif 000005
【図５】
0003617592.tif 000006
【図６】
0003617592.tif 000007
【図７】
0003617592.tif 000008